(57)【要約】【課題】手間がかからずにガラス板を扉の開口部に取り付けることができる。【解決手段】ガラス面２０を開口面３４に平行となるように位置させてこのガラス板１８を開口部３２に取り付ける額縁構造において、ガラス板１８の周囲を挟む対の額縁部材３ａ、３ｂと、対の額縁部材３ａ、３ｂ同士を連結する連結部材１０とを備え、連結部材１０は、断面略Ｔ字状に形成され、相反する方向に延在する二片１２、１３は各々額縁部材３ａ、３ｂの対向面５側に形成された溝７に固定され、二片１２、１３に直交する片１４は開口部の内面３５に形成された開口部側溝３６に固定される。これにより、外観を損なわず、釘、タッカー釘、木ねじなどを使用することなくガラス板１８を取り付けることができる。【選択図】        図１
2004251076.tif 000002
【特許請求の範囲】
【請求項１】
板状部材の板面を開口部の開口面に平行となるように位置させて該板状部材を前記開口部に取り付ける額縁構造において、板状部材の周囲を挟む対の額縁部材と、該対の額縁部材同士を連結する連結部材とを備え、該連結部材は、断面略Ｔ字状に形成され、相反する方向に延在する二片は各々前記額縁部材の対向面側に形成された溝に固定され、前記二片の延在する方向と直交する方向に延在する一片は前記開口部の内面に形成された開口部側溝に固定されてなる額縁構造。
【発明の詳細な説明】
【０００１】
【発明の属する技術分野】
本発明は、扉などの開口部に板状部材を固定する額縁構造に関するものである。
【０００２】
【従来の技術】
従来の額縁構造としては、たとえば内部が中空である一対の額縁部材（額縁体）と、この一対の額縁部材のうちの他方の額縁部材に形成された係止突起に対して離脱可能に係合する結合体とを備えたものが知られている（特許文献１）。一対の額縁部材は、その一端（上面）側を扉の開口部内面に当接した状態で開口部縁を挟持し、他端（下部）側でガラス板の外周部を挟持する。
【０００３】
また、別の額縁構造として、建具本体の開口部面外方向に設けられた一対の額縁部材（額縁材）と、これにより取り付けられた板状部材（パネル部材）とを備え、一対の額縁部材は、対向端面に開口した溝に固定（係合）する固定部材で面外方向に連結されたものが知られている（特許文献２）。
【０００４】
【特許文献１】
実公平１−３８２３６号公報（第２頁、第１図）
【特許文献２】
特開２０００−３２０２６４号公報（第２頁、第５図）
【０００５】
【発明が解決しようとする課題】
前者の額縁構造（特許文献１）は、二つの額縁部材を結合体によって連結することにより一体化するものであるから、扉の開口部に額縁部材を当てて取り付ける際に額縁部材が倒れ易いので組み立てに手間がかかる。また、後者の額縁構造（特許文献２）においても、額縁部材が固定部材によって面外方向に固定されるものであるから、前者と同様に、組み立てに手間がかかるおそれがあった。
【０００６】
本発明は、手間がかからずに板状部材を開口部に取り付けることができることを課題とする。
【０００７】
【課題を解決するための手段】
上記課題を解決するため、本発明は、板状部材の板面を開口部の開口面に平行となるように位置させて板状部材を開口部に取り付ける額縁構造において、板状部材の周囲を挟む対の額縁部材と、対の額縁部材同士を連結する連結部材とを備え、連結部材は、断面略Ｔ字状に形成され、相反する方向に延在する二片は各々額縁部材の対向面側に形成された溝に固定され、二片の延在する方向と直交する方向に延在する一片は開口部の内面に形成された開口部側溝に固定されてなることを特徴とする。
【０００８】
このようにすることにより、断面略Ｔ字状の連結部材の相反する方向に延在する二片と直交する方向に延在する一片を開口部の内面に形成された開口部側溝に挿入し固定することができる。次に、相反する方向に延在する二片のうちの一片を額縁部材に形成された溝に挿入し固定することにより、額縁部材の一方が開口部の一方の側に固定される。
【０００９】
さらに、一方の額縁部材を固定した状態で板状部材を開口部の他方の側から固定した額縁部材の上に挿入することができる。そして、連結部材の相反する二片のうちの他方の片を額縁部材の他方に形成された溝に挿入することにより固定する。これにより板状部材を対の額縁部材の間に挟み固定することができる。このようにすることにより釘、タッカー釘、木ねじなどの固定手段を使用することなく、手間がかからずに板状部材を開口部に取り付けることができる。また、釘、タッカー釘、木ねじなどの固定手段を使用しないので外観を損なうこともない。
【００１０】
次に本発明を構成する各要件についてさらに詳しく説明する。本発明の額縁構造は、扉、壁、建具などの開口部に、板材やガラス板などの板状部材を取り付けるものである。開口部の開口面は、開口する方向に直交する方向の面である。開口部の内面は、開口面に直交し、かつ開口縁に沿った面である。開口部側溝は、開口部の内面に開口するように形成された溝である。
【００１１】
額縁部材は、板状部材の周囲を挟み保持する部材であり対で使用される。さらに、額縁部材は、開口部の周囲全長に渡って設けられるが、開口部の周囲の複数個所に局部的に設けられる場合を含む。額縁部材が開口部の周囲全長に渡って設けられる場合、額縁部材を予め開口部の大きさに適合する大きさの枠に組んでおくと良い。額縁部材を枠状に組むことにより、開口部側部材と額縁部材との固定が確実になる。額縁部材の対向面は開口面に平行する面で、対の額縁部材が互いに対向する面である。この面に開口し額縁部材の長手方向に沿って溝が形成される。
【００１２】
対の額縁部材のうち、たとえば最初に開口部に取り付けられる方を開口部の内面または開口部の縁に接着する。この場合の接着剤としては、酢酸ビニル系、酢酸ビニル・アクリル系、エチレン・酢酸ビニル系、アクリル・エチレン系およびウレタン系などを使用し、開口部を形成する部材と額縁部材の材質に適したものを選定する。
【００１３】
額縁部材の材質は、たとえば合板、木質繊維板（ＭＤＦなど）、木削片板、単板積層板などの木質系や石膏ボードなどの無機質系を使用することができる。額縁部材の表面は、必要により化粧面とされ、化粧シートなどの化粧材を設けたり、塗装などを施しても良い。
【００１４】
連結部材は、断面が略Ｔ字状で、長さは開口部の上下方向の縁の長さまたは左右方向の縁の長さに略等しくしても良い。あるいは、開口部の縁に沿って局部的に設けるように短い長さのものでも良い。さらに、連結部材の三つの片には、たとえばその片の両側に鋸状の突起を設け、両側の突起の先端同士の幅を額縁部材の溝または開口部側溝の幅より若干大きく形成し、連結部材の片を溝に挿入したときに、突起の先端が溝の側壁に食い込むようにしても良い。
【００１５】
こうすることにより、連結部材と額縁部材または連結部材と開口部を形成する部材との間の固定を確実にする。また、連結部材の材質は、木質系や無機系の材料の他に、硬質合成樹脂系、鋼、銅、アルミニウム合金またはこれらに耐食表面処理を施した金属系などを使用しても良い。
【００１６】
【発明の実施の形態】
以下、本発明に係る扉の実施形態を図面に基づいて詳細に説明する。なお、図１、２において、同一または同等部分には同一符号を付けて示す。
【００１７】
図２は、本発明に係る額縁構造を採用した扉２６の正面図である。扉２６は、壁４２に設けられた門形の扉枠４４に対して扉枠４４の右寄り上部と下部に設けられた丁番４６を介して水平面内で回転可能に支持される。扉面には上下方向に延在する二つの開口部３２が設けられる。額縁構造は、この開口部３２にガラス板（板状部材）１８を取り付けるものである。さらに、扉２６の左寄り中間高さ位置には取手用の取付け孔３１が設けられる。
【００１８】
図１は、本発明に係る額縁構造の一実施形態を示す断面図で、図２におけるＡ−Ａ線断面図である。図２におけるガラス板１８を取り付ける他の部分の構造についても、図１に示した構造と同じである。扉の開口部３２は、その左右に設けられる縦枠部材３０および上部と下部に設けられる図示していない横枠部材と、これら枠部材を挟む二枚の表面板２８で矩形状に形成される。開口部の内面３５には開口部側溝３６が形成される。開口部側溝３６は、開口部を形成する縦枠部材３０の長手方向に沿って連続して形成され、断面形状は略コの字形である。
【００１９】
ガラス板１８は、そのガラス面（板面）２０を開口部の開口面３４と平行となるように開口部３２に取り付けられる。さらに、額縁構造は、ガラス板１８の周囲を挟む対の額縁部材３ａ、３ｂと、対の額縁部材３ａ、３ｂ同士を連結する連結部材１０とを備える。連結部材１０とガラス板１８との間には軟質部材２４が介在する。
【００２０】
対の額縁部材３ａ、３ｂは、同形状で断面略Ｕ字状であり、対向面５側に溝７を有する。溝７は額縁部材３ａ、３ｂの長手方向に沿って形成される。額縁部材の対向面５は、開口面３４に平行する面で対の額縁部材３ａ、３ｂが互いに対向する面である。対向面５側と反対の面側には表面板２８の縁を覆う凸部８が設けられる。さらに、対の額縁部材３ａ、３ｂは、ガラス板１８の周囲をその対向面５で挟むことにより保持し、開口部３２の周囲全長に渡って額縁状に設けられる。
【００２１】
額縁部材３ａ、３ｂの材質は、たとえば木質繊維板（ＭＤＦなど）を使用し、この表面に化粧材（化粧シート）が設けられる。さらに、対の額縁部材３ａ、３ｂのうち、たとえば最初に開口部３２に取り付けられる額縁部材３ａが表面板２８の木口面２９に接着される。この場合の接着剤４０としては、酢酸ビニル系、酢酸ビニル・アクリル系、エチレン・酢酸ビニル系、アクリル・エチレン系およびウレタン系などで、表面板２８の材質と額縁部材３ａの材質に適したものが選択される。
【００２２】
連結部材１０は、断面略Ｔ字状に形成され、開口部の内面３５に沿って設けられるので、その長さは開口部の上下方向の長さまたは開口部の左右方向の長さに略同じである。さらに、連結部材１０の相反する方向に延在する二片１２、１３は、各々額縁部材の対向面５側に形成された溝７に固定される。二片１２、１３に直交する方向に延在する一片１４は開口部の内面３５に形成された開口部側溝３６に固定される。なお、連結部材１０は、開口部３２の縁に沿って局部的に使用され短い部材長さで用いられても良い。
【００２３】
連結部材の各片１２〜１４は、額縁部材の溝７または開口部側溝３６に固定されるが、各片の両側面に鋸状の突起１５が設けられる。各片の両側の突起１５の先端同士の距離は額縁部材の溝７または開口部側溝３６の幅より若干大きく形成され、連結部材の片１２〜１４が溝に挿入されたときの突起１５の先端が溝の側壁に食い込み固定され易いように形成される。連結部材１０の材質は、木質系や無機系の材料の他に、硬質合成樹脂系、鋼板、銅板、アルミニウム合金板、あるいはこれらの耐食表面処理を施した金属板、塗装金属板どの金属系などを使用する。
【００２４】
軟質部材２４は、緩衝材としての役割を果たすが、連結部材１０が設けられた位置で連結部材１０とガラス板１８の間に介在する。軟質部材２４の材質としては、合成ゴムなどの軟質合成樹脂が使用される。なお、軟質部材２４は、予め連結部材１０に対して塗布または充填により一体化して設けるか、あるいは軟質部材２４自体を接着剤により接着し一体化して設けても良い。
【００２５】
上記実施形態の額縁構造において、ガラス板１８を扉の開口部３２に取り付ける方法は、先ず、額縁部材３ａ、３ｂを開口部３２に適合する大きさの枠に組んでおく。次に、連結部材の一片１４を開口部の内面３５に形成された開口部側溝３６に挿入し固定する。次に、連結部材の一片１２を額縁部材３ａの枠に形成された溝７に挿入し固定する。これにより、額縁部材３ａの枠が開口部の一方の側３４ａに固定される。
【００２６】
さらに、この固定した額縁部材３ａの枠を下側にした状態でガラス板１８を開口部の他方の側３４ｂから額縁部材３ａの枠上に挿入する。そして、連結部材の一片１３を額縁部材３ｂの枠に形成された溝７に挿入することにより固定する。これによりガラス板１８を対の額縁部材３ａ、３ｂの間に挟み固定することができる。
【００２７】
以上の構造を有する額縁構造は、次のように作用する。すなわち、断面略Ｔ字状の連結部材１０の一片１４を開口部の内面３５に形成された開口部側溝３６に固定し、連結部材１０の一片１２を額縁部材３ａの枠に形成された溝７に固定するので額縁部材３ａ自体が倒れることがなく、額縁部材３ａの枠は開口部の一方の側３４ａに確実に固定される。
【００２８】
さらに、額縁部材３ａは開口部３２に固定されるので、ガラス板１８を開口部の他方の側３４ｂから挿入することができる。そして、ガラス板１８を挿入した状態で連結部材３ｂの一片１３を額縁部材３ｂの枠に形成された溝７に挿入し固定することができる。ガラス板１８は、外観を損なわず、釘、タッカー釘、木ねじなどの固定手段を使用することなく扉の開口部３２に取り付けられる。
【００２９】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００３０】
【発明の効果】
本発明によれば、断面略Ｔ字状の連結部材を用いることにより、外観を損なわず、釘、タッカー釘、木ねじなどの固定手段を使用することなく開口部に板状部材を取り付けることができる。
【図面の簡単な説明】
【図１】本発明に係る額縁構造の一実施形態を示す断面図である。
【図２】図１に示した額縁構造を採用した扉の正面図である。
【符号の説明】
３ａ、３ｂ  額縁部材
５  対向面
７  溝
１０  連結部材
１２〜１４  片
１８  ガラス板（板状部材）
２０  ガラス面（板面）
２２  周囲
３２  開口部
３４  開口面
３５  内面
３６  開口部側溝
【図１】
2004251076.tif 000003
【図２】
2004251076.tif 000004